(57)【要約】時間フィルタを使用して高ダイナミックレンジビデオをノイズ除去するためのシステム、方法、および手段が開示される。圧縮されていないビデオストリームのフレームが受信される。フレームは、複数の画素を含む。複数の画素のうちの画素のクロマ成分が事前定義の領域に属すると決定される。この領域は、１または複数のクロマ成分に基づいて事前定義される。事前定義の領域は、ＣｂＣｒ空間である。画素のクロマ成分が同一位置の画素のクロマ成分と比較され、同一位置の画素のクロマ成分が事前定義の領域に属するかどうか決定する。画素は、ノイズ除去フィルタを使用してフィルタリングされる。ノイズ除去フィルタは時間フィルタである。ノイズ除去フィルタはクロウフォードフィルタである。フィルタリングされた画素を含む圧縮されていないビデオストリームがエンコードされる。
2016503613.tif 000002
【特許請求の範囲】
【請求項１】
ビデオストリームのフレームを受信するステップであって、前記フレームは複数の画素を含む、該ステップと、
前記複数の画素のうちの画素のクロマ成分がクロミナンス色空間の事前定義の領域内にあるかどうか決定するステップと、
前記画素の前記クロマ成分がクロミナンス色空間の前記事前定義の領域内にある場合、ノイズ除去フィルタを前記画素に適用するステップと
を備えたことを特徴とする方法。
【請求項２】
前記クロミナンス色空間は、ＣｂＣｒ空間であることを特徴とする請求項１に記載の方法。
【請求項３】
前記ＣｂＣｒ空間の前記事前定義の領域は、Ｃｂの最小値を制限することによって定義されることを特徴とする請求項２に記載の方法。
【請求項４】
クロミナンス色空間の前記事前定義の領域は、Ｃｂの値を第１の範囲に制限し、Ｃｒの値を第２の範囲に制限することによって定義される色に関連付けられることを特徴とする請求項１に記載の方法。
【請求項５】
前記ノイズ除去フィルタは時間フィルタであることを特徴とする請求項１に記載の方法。
【請求項６】
前記画素とクロミナンス色空間の前記事前定義の領域内にない最も近くの画素との間の距離（ｒ）を決定するステップをさらに備えたことを特徴とする請求項１に記載の方法。
【請求項７】
前記ノイズ除去フィルタは、前記距離（ｒ）が減少するにつれて、より穏やかに前記画素に適用されることを特徴とする請求項６に記載の方法。
【請求項８】
ビデオストリームのフレームを受信するステップであって、前記フレームは複数の画素を含む、該ステップと、
前記複数の画素のうちの画素のクロマ成分がクロミナンス色空間の事前定義の領域内にあるかどうか決定するステップと、
前記ビデオストリームの以前のフレーム内における同一位置の画素のクロマ成分がクロミナンス色空間の前記事前定義の領域内にあるかどうか決定するステップと、
前記画素の前記クロマ成分がクロミナンス色空間の前記事前定義の領域内にあり、前記ビデオストリームの前記以前のフレーム内における前記同一位置の画素の前記クロマ成分がクロミナンス色空間の前記事前定義の領域内にある場合、ノイズ除去フィルタを前記画素に適用するステップと
を備えたことを特徴とする方法。
【請求項９】
前記ビデオストリームの前記以前のフレーム内の前記同一位置の画素と、クロミナンス色空間の前記事前定義の領域内にない前記以前のフレーム内の最も近くの画素との間の距離（ｒ）を決定するステップをさらに備えたことを特徴とする請求項８に記載の方法。
【請求項１０】
前記ノイズ除去フィルタは、前記距離（ｒ）の関数として前記画素に適用されることを特徴とする請求項９に記載の方法。
【請求項１１】
前記ノイズ除去フィルタは、前記距離（ｒ）が減少するにつれて、より穏やかに前記画素に適用されることを特徴とする請求項９に記載の方法。
【請求項１２】
前記ノイズ除去フィルタを適用した後で前記ビデオストリームをエンコードするステップをさらに備えたことを特徴とする請求項８に記載の方法。
【請求項１３】
ビデオストリームのフレームを受信するステップであって、前記フレームは複数の画素を含む、該ステップと、
前記複数の画素のうちの画素のクロマ成分を、前記ビデオストリームの以前のフレーム内における同一位置の画素のクロマ成分と比較するステップと、
前記画素の前記クロマ成分と、前記ビデオストリームの前記以前のフレーム内における前記同一位置の画素の前記クロマ成分との差が、事前定義の距離（ｒ）未満である場合、ノイズ除去フィルタを前記画素に適用するステップと
を備えたことを特徴とする方法。
【請求項１４】
クロミナンス色空間の領域を定義するステップであって、前記領域は前記画素の前記クロマ成分を含む、ステップと、
前記ビデオストリームの前記以前のフレーム内の前記同一位置の画素の前記クロマ成分もまた前記領域内にある場合、前記ノイズ除去フィルタを前記画素に適用するステップと
をさらに含むことを特徴とする請求項１３に記載の方法。
【請求項１５】
ビデオストリームのフレームを受信し、前記フレームは複数の画素を含み、
前記複数の画素のうちの画素のクロマ成分がクロミナンス色空間の事前定義の領域内にあるかどうか決定し、
前記画素の前記クロマ成分がクロミナンス色空間の前記事前定義の領域内にある場合、ノイズ除去フィルタを前記画素に適用するように構成されたプロセッサを備えたことを特徴とするビデオデバイス。
【請求項１６】
前記クロミナンス色空間は、ＣｂＣｒ空間であることを特徴とする請求項１５に記載のビデオデバイス。
【請求項１７】
ＣｂＣｒ空間の前記事前定義の領域は、Ｃｂの最小値を制限することによって定義されることを特徴とする請求項１６に記載のビデオデバイス。
【請求項１８】
クロミナンス色空間の前記事前定義の領域は、Ｃｂの値を第１の範囲に制限し、Ｃｒの値を第２の範囲に制限することによって定義される色に関連付けられることを特徴とする請求項１５に記載のビデオデバイス。
【請求項１９】
前記ノイズ除去フィルタは時間フィルタであることを特徴とする請求項１５に記載のビデオデバイス。
【請求項２０】
前記プロセッサは、前記ノイズ除去フィルタを適用した後で前記ビデオストリームをエンコードするように構成されることを特徴とする請求項１５に記載のビデオデバイス。
【請求項２１】
前記プロセッサは、スキップマクロブロックを使用してクロミナンス色空間の前記事前定義の領域内の画素をエンコードすることを特徴とする請求項１５に記載のビデオデバイス。
【発明の詳細な説明】
【技術分野】
【０００１】
本発明は、高ダイナミックレンジビデオをノイズ除去するためのシステムおよび方法に関する。
【背景技術】
【０００２】
関連出願の相互参照
本願は、２０１２年１１月７日に出願された米国特許仮出願第６１／７２３，７１５号の利益を主張し、それらの内容を参照により本明細書に組み込む。
【０００３】
時間ノイズ（たとえば、領域特有の時間ノイズ）は、それだけには限らないがコンテンツ制作および準備プロセスの特徴など、多数の要因によりビデオシーケンス内に現れる。たとえば、時間ノイズは、異なるカメラを使用して、または異なる照明条件下などで撮られたビデオの構図の結果である。
【発明の概要】
【発明が解決しようとする課題】
【０００４】
時間的に変動するノイズを有するコンテンツをエンコードするとき、エンコーダは、ノイズを、保存される高周波成分とみなす。エンコーダは、ノイズをエンコードするためにビットを割り当てる。これはビデオの残りの領域をエンコードするために使用可能なビットを減少させ、これは、固定されたビットレートでより低い視覚的品質をもたらす。高ダイナミックレンジビデオをノイズ除去するためのノイズ除去フィルタが求められている。
【０００５】
そこで、本発明の目的は、高ダイナミックレンジビデオをノイズ除去するための、改善されたシステムおよび方法を提供することにある。
【課題を解決するための手段】
【０００６】
時間フィルタを使用して高ダイナミックレンジビデオをノイズ除去するためのシステム、方法、および手段が開示される。ビデオストリームのフレームを受信するステップであって、フレームは複数の画素を含む、ステップと、複数の画素のうちの画素のクロマ成分がクロミナンス色空間の事前定義の領域内にあるかどうか決定するステップと、画素のクロマ成分がクロミナンス色空間の事前定義の領域内にある場合、ノイズ除去フィルタを画素に適用するステップとを含む方法について記載されている。また、ビデオストリームのフレームを受信するステップであって、フレームは複数の画素を含む、ステップと、複数の画素のうちの画素のクロマ成分がクロミナンス色空間の事前定義の領域内にあるかどうか決定するステップと、ビデオストリームの以前のフレーム内における同一位置の画素のクロマ成分がクロミナンス色空間の事前定義の領域内にあるかどうか決定するステップと、画素のクロマ成分がクロミナンス色空間の事前定義の領域内にあり、ビデオストリームの以前のフレーム内における同一位置の画素のクロマ成分がクロミナンス色空間の事前定義の領域内にある場合、ノイズ除去フィルタを画素に適用するステップとを含む方法について記載されている。また、ビデオストリームのフレームを受信するステップであって、フレームは複数の画素を含む、ステップと、複数の画素のうちの画素のクロマ成分を、ビデオストリームの以前のフレーム内における同一位置の画素のクロマ成分と比較するステップと、画素のクロマ成分と、ビデオストリームの以前のフレーム内における同一位置の画素のクロマ成分との差が、クロミナンス色空間の事前定義の領域内である事前定義の距離（ｒ）未満である場合、ノイズ除去フィルタを画素に適用するステップとを含む方法について記載されている。また、プロセッサを備え、プロセッサは、ビデオストリームのフレームを受信し、フレームは複数の画素を含み、複数の画素のうちの画素のクロマ成分がクロミナンス色空間の事前定義の領域内にあるかどうか決定し、画素のクロマ成分がクロミナンス色空間の事前定義の領域内にある場合、ノイズ除去フィルタを画素に適用するように構成される、ビデオデバイスについて記載されている。
【図面の簡単な説明】
【０００７】
【図１】ノイズ除去実装の一例を示す図である。
【図２Ａ】同一位置の以前の画素「Ａ」についてのクロマ、およびＡ周りのクロマトグラフィ領域を示す図である。
【図２Ｂ】Ａ周りのクロマトグラフィ領域内の同一位置の以前の画素「Ａ」のクロマに比べて現在のフレームにおける画素「Ｂ」についてのクロマを示す図である。
【図３】時間フィルタリング判断プロセスを示す図である。
【図４】クロウフォードフィルタの一例を示す図である。
【図５】空領域をノイズ除去するための時間フィルタリング判断プロセスを示す図である。
【図６】陰影領域がスカイブルーの陰影を示すＣｂ対Ｃｒプロットの一例を示す図である。
【図７】時間フィルタリング判断プロセスを示す図である。
【図８】アーチファクトを低減するための時間フィルタリング判断プロセスを示す図である。
【図９】δと、τの異なる値についてのｆ（δ）との関係の一例を示す図である。
【図１０】ノイズ除去フィルタの実装を示す図である。
【図１１】ＲＤプロットを示す図である。
【図１２】ブロックベースのビデオエンコーダの一例を示すブロック図である。
【図１３】ブロックベースのビデオデコーダの一例を示すブロック図である。
【図１４Ａ】１または複数の開示されている実施形態が実装される例示的な通信システムのシステム図である。
【図１４Ｂ】図１４Ａに示されている通信システム内で使用される例示的な無線送信／受信ユニット（ＷＴＲＵ）のシステム図である。
【図１４Ｃ】図１４Ａに示されている通信システム内で使用される例示的な無線アクセスネットワークおよび例示的なコアネットワークのシステム図である。
【図１４Ｄ】図１４Ａに示されている通信システム内で使用される別の例示的な無線アクセスネットワークおよび別の例示的なコアネットワークのシステム図である。
【図１４Ｅ】図１４Ａに示されている通信システム内で使用される別の例示的な無線アクセスネットワークおよび別の例示的なコアネットワークのシステム図である。
【発明を実施するための形態】
【０００８】
本明細書に記載の実装は、高ダイナミックレンジ（ＨＤＲ）ビデオストリーム内の時間ノイズをフィルタリングするための手法を提供する。ＨＤＲカメラは、いくつかの画像を異なる露出で取り込む。ＨＤＲカメラは、それらの画像を組み合わせ、単一の画像を生成する、たとえば、その単一の画像は、所与のシーン内に見出される強度範囲を正確に表す。ＨＤＲビデオカメラは、通常のビデオカメラによって通常取り込まれないシーン内の多様な範囲の強度を取り込む。たとえば、ＨＤＲカメラは、日中、星を取り込む。
【０００９】
ＨＤＲビデオカメラは、視覚的品質全体に有害である時間的に変動するノイズを導入する。たとえば、２つの連続するフレームからの空に対応するセグメントは、差（たとえば、輝度差）を示し、これは、スペックルまたは「塩胡椒ノイズ」として現れる時間ノイズを生み出す。時間ノイズ（たとえば、領域特有の時間ノイズ）は、コンテンツ制作および準備プロセスで生み出されるものなど、１または複数の要因により現れる。たとえば、時間ノイズは、異なるカメラを使用して、または異なる照明条件下などで撮られたビデオの構図の結果である。
【００１０】
ビデオストリーム内の１または複数の関心領域（ＲＯＩ）を選択的にノイズ除去するために実装が拡張される。実装は、ＨＤＲビデオをノイズ除去するための手法を提供し、たとえば、それだけには限らないが青空、葉群など、ビデオストリームのＲＯＩ内のノイズをフィルタリングするために拡張される。エンコーダに対する前処理ステップとしてフィルタが使用される。得られるビットストリームは、固定されたビットレートでのフィルタなしの圧縮されたビデオに比べて、より良好な視覚的品質を有する。前処理フィルタは、それだけには限らないが、ビット割当て、動き推定などに使用されるＲＯＩ情報など、情報を提供することによってビットを節約し視覚的品質を改善するうえでエンコーダの助けとなる。ツール、およびビデオ符号化の有効性を改善するためのそのようなツールのためのアプリケーションが提供される。フレーム全体をノイズ除去することが提供される。入力フレームにわたる時間フィルタリングが提供される。
【００１１】
図１は、ノイズ除去実装１００の一例を示す図である。たとえば、入力画素１０２について、入力画素１０２のクロマが条件１０４（たとえば、ＣｂＣｒ空間内の指定された領域）に属するかどうか決定するために検査が実施される。条件１０４を満足する画素（たとえば、ＣｂＣｒ空間内の指定された領域内にある画素）に、時間フィルタが適用される（１０６）（たとえば、それだけに適用される）。出力画素１０８は、条件１０４が満たされる場合、フィルタリングされる。出力画素１０８は、条件１０４が満たされない場合、フィルタリングされない。
【００１２】
フィルタリング判断実装が提供される。たとえば時間フィルタリングが同様のクロマを有する画素にわたって確実に適用されるように、時間フィルタリングのための制約が定義される。現在のフレーム内の入力画素について、現在の画素がフィルタリングされるかどうか判断するために、以前のフレーム内の画素を使用し、条件を定義する。たとえば、ＣｂＣｒ空間内の条件が定義される。
【００１３】
図２Ａおよび図２Ｂは、例示的なフィルタリング判断プロセスを示す図である。図２Ａは、「Ａ」が同一位置の以前の（たとえば、以前のフレーム内の）画素についてのクロマを表し、現在のフレーム内の画素がフィルタリングされるかどうか決定するためにＡ周りの点線領域が使用される例示的なフィルタリングプロセスを示す図である。図２Ｂは、「Ｂ」が現在のフレーム内の画素のクロマを表す例示的なフィルタリングプロセスを示す図である。現在のフレーム内の画素のクロマが点線領域内にあるので、その画素はフィルタリングされる。たとえば、「Ｂ」および「Ａ」は、それぞれ現在の同一位置の画素である。たとえば、ＡおよびＢのクロマは、（Ｃｂa，Ｃｒa）および（Ｃｂb，Ｃｒb）である。ＣｂＣｒ空間内の画素Ａ周りの領域が定義される。
【００１４】
この領域は、たとえば図２Ａに示されているようにＢをフィルタリングするための制約を定義する。パラメータｒ、Ｒ、およびαは、その領域のパラメータであり、
【００１５】
【数１】
2016503613.tif 000003
【００１６】
である。たとえば図２Ｂに示されているようにＢがこの領域内にある場合には、時間フィルタリングが適用される。そうでない場合には、時間フィルタリングが適用されない。
【００１７】
図３は、時間フィルタリング３００を示す図である。入力画素（たとえば、図２Ｂ「Ｂ」）３０２が、ビデオストリームの以前のフレーム内の同一位置の画素（たとえば、図２Ｂ「Ａ」）に対して比較される。３０４で角度β1およびβ2が計算される。検査３０６により、β1とβ2との差の絶対値がパラメータα（図２Ａ）以下であるかどうか決定される。以下でない場合、出力画素３１６はフィルタリングされない。β1とβ2との差の絶対値がパラメータα（図２Ａ）以下である場合、Ｒbが計算される（３０８）。検査３１０により、Ｒｂが、パラメータＲ（たとえば図２Ａ）にパラメータｒ（たとえば図２Ａ）を加えた和以下であるかどうか決定される。以下でない場合、出力画素３１６はフィルタリングされない。Ｒｂが、パラメータＲにパラメータｒを加えた和以下である場合、検査３１２により、ＣｒaとＣｒbの積が０より大きいかどうか決定される。大きくない場合、出力画素３１６はフィルタリングされない。ＣｒaとＣｒbの積が０より大きい場合、時間フィルタ３１４が適用される。たとえば、時間フィルタは、クロウフォードフィルタに基づくものである。時間フィルタは、ルミナンス画素（たとえば、ルミナンス画素だけ）に対して作用する。
【００１８】
図４は、クロウフォードフィルタの一例を示す図である。現在のフレーム内の画素と以前のフレーム内の同一位置の画素との間で、差δが計算される。非線形伝達関数がδに適用される。たとえば、
【００１９】
【数２】
2016503613.tif 000004
【００２０】
上式で、γおよびτは、それぞれカットオフの鋭さおよびフィルタ閾値を決定するフィルタパラメータである。
【００２１】
ＨＤＲビデオ内のＲＯＩ（たとえば、空領域）をノイズ除去するための実装が提供される。時間フィルタ、たとえば本明細書に記載の例示的なクロウフォードフィルタが使用される。スカイブルー画素を検出することによるノイズ除去が提供される。
【００２２】
図５は、色領域、たとえば空領域のためのノイズ除去実装５００の一例を示す図である。入力画素５０２（たとえば、入力フレームに関連付けられた画素）が受信される。入力画素５０２が色領域に属するかどうか、たとえば、入力画素５０２がスカイブルーであるかどうか決定するために検査５０４が実施される。たとえば、画素のクロミナンス成分（たとえば、ＣｂおよびＣｒ）を使用し、その画素がスカイブルーの陰影に属するかどうか決定する。表１は、スカイブルーの異なる陰影のＲＧＢおよびＹＣｂＣｒ値の一例をリストする。
【００２３】
【表１】
2016503613.tif 000005
【００２４】
たとえば、表１に示されているように、スカイブルーについてのＣｂおよびＣｒは、それぞれ［０．０４，０．３］および［−０．０１，−０．４］のおおよその範囲内にある。入力画素５０２がスカイブルーである場合、時間フィルタ５０６が適用され、そのような場合における出力画素５０８はフィルタリングされる。入力画素５０２がスカイブルーでない場合、時間フィルタ５０６は適用されず、そのような場合における出力画素５０８はフィルタリングされない。
【００２５】
空領域内のノイズの一部分は、大抵［Ｃｂ，Ｃｒ］＝［０，０］を有する空の星によって生成される。星によって生成されるノイズについてのクロマ成分は、検出のためにその範囲内に含まれる。画素は、たとえば以下の不等式が満足される場合、スカイブルー画素として分類される。
Ｃｂ≧０、Ｃｒ≦０、
Ｃｂ≧−０．１Ｃｒ                      式（１）
図６は、陰影領域が、式１で定義されるスカイブルーの陰影を示すＣｂ対Ｃｒプロットの一例を示す図である。たとえば、この不等式によってカバーされるＣｂＣｒ色空間内の領域は、図６の図の右下のセクションに示されている。この不等式を満足する画素は、時間フィルタを使用してフィルタリングされる。現在の同一位置のスカイブルー画素を使用するノイズ除去実装が提供される。
【００２６】
図７は、時間フィルタ７０８を使用して実施されるノイズ除去実装７００の一例を示す図である。入力フレーム７０２は、入力画素を含む関心領域を有し、入力画素が色領域にあるかどうか、たとえば、入力画素がスカイブルーであるかどうか、検査７０４が実施される。色領域にない場合、対応する出力フレーム７１０内の画素はフィルタリングされない。画素をフィルタリングするとき、以前の同一位置の画素（たとえば、以前のフレーム内の同一位置の画素）は、スカイブルーではない。異なる色に属する画素を使用することを回避するために、同一位置の画素がスカイブルーであるかどうか決定するために検査７０６が実施される。たとえば、この検査は、式（１）で定義される条件を使用して実施される。その画素および同一位置の画素がスカイブルーである場合、時間フィルタ７０８がその画素に適用される。フィルタリングされた画素が、対応する出力フレーム７１０内にある。
【００２７】
時間フィルタの１または複数のパラメータを適合させることによって色領域（たとえば、空領域）をノイズ除去することが提供される。たとえば、物体が空の背景に対して移動している高速移動シーンでは、物体の境界は、スカイブルーの陰影である画素を含む。空領域に属する現在の画素が物体の境界（たとえば、物体境界）からスカイブルー画素を使用してフィルタリングされるとき、虚偽の輪郭アーチファクトがフィルタリングされたフレーム内に生じる。そのようなアーチファクトを防止するための実装が提供される。
【００２８】
図８は、時間フィルタ実装８００の一例を示す図である。時間フィルタ実装８００は、虚偽の輪郭アーチファクトを軽減する。入力フレーム８０２は、入力画素を含む関心領域を有し、入力画素がスカイブルーであるかどうか決定するために検査８０４が実施される。スカイブルーでない場合、対応する出力フレーム８１４内の画素はフィルタリングされない。スカイブルーである場合、同一位置の画素がスカイブルーであるかどうか決定するために検査８０６が実施される。スカイブルーでない場合、対応する出力フレーム８１４内の画素はフィルタリングされない。
【００２９】
その画素および同一位置の画素がスカイブルーである場合、同一位置の画素と、その最も近くの空でない画素との間で距離「ｒ」が決定される（８０８）。最も近くのスカイブルーでない画素からの同一位置の画素の距離に基づくパラメータτが計算される（８１０）。たとえば、３２×３２画素の探索ウィンドウが使用される。フィルタパラメータτへの距離ｒが、たとえば以下の式を使用してマッピングされる。
τ（ｒ）＝ｔ＋Ｋｌｏｇ（ｒ）
【００３０】
上式で、Ｋは一定の換算係数である。上式は、ｒのより小さい値についてτのより小さい値を生み出す。その画素と同一位置の画素の両方がスカイブルーである場合、時間フィルタ８１２がその画素に適用され、対応する出力フレーム８１４内にフィルタリングされる。
【００３１】
図９は、τの異なる値についてδとｆ（δ）の間の関係の一例を示す図である。たとえば、図９は、γが１に設定されているときの異なるτについてδとｆ（δ）の間の関係を例示する。たとえば、より小さいτについて、ｆ（δ）≒δであり、これはｙ［ｎ］≒ｘ［ｎ］の出力をもたらし、これはより穏やかなフィルタリングに対応する。そのような実装は、同一位置の画素が空でない領域に非常に近接しているとき、より穏やかな時間フィルタが使用されることを提供する。より穏やかな時間フィルタの使用は、輪郭アーチファクトの発生を軽減する。
【００３２】
クロウフォードフィルタパラメータγおよびτは、様々であってもよい。γ＝１およびτ＝４が所望のノイズ除去された出力を生み出す。連続するノイズ除去されたフレームは、元のフレームに対応する望ましい差分画像を有する。差分画像は、たとえば、元の画像から得られる差分画像に比べたとき、より低い時間ノイズ（たとえば、著しく低い時間ノイズ）を有する。
【００３３】
ビデオ圧縮のためのノイズ除去フィルタの応用例が提供される。時間的に変動するノイズを有するコンテンツをエンコードするとき、エンコーダは、ノイズを、保存されることを必要とする高周波成分とみなす。エンコーダは、ノイズをエンコードするために１または複数のビットを割り当て、これは、たとえばビデオの残りの領域をエンコードするために使用可能であるビットを減少させ、固定されたビットレートでより低い視覚的品質をもたらす。
【００３４】
図１０は、ビデオストリームをノイズ除去するプロセス１０００の一例を示す図である。圧縮されていないビデオ１００２がノイズ除去フィルタ１００４に適用される。圧縮されていないビデオのいくつかの画素が、たとえば本明細書に記載のようにフィルタリングされる。ノイズ除去フィルタ１００４は、エンコーダ１００６に対する前処理ステップとして使用され、圧縮されたビットストリーム１００８を生成する。ノイズ除去フィルタ１００４を例えば図１０に示されている前処理ステップとして使用することは、ノイズに割り当てられるビットを低減する。これは、より良好な視覚的品質をもたらす。
【００３５】
ノイズ除去フィルタ１００４は、エンコーダ１００６の性能の助けとなるように使用される。たとえば、ノイズ除去フィルタ１００４は、空領域を決定し、次いで、ノイズ除去フィルタは、この情報をエンコーダ１００６に中継する。空領域は実質的に同質なもの（たとえば、低い時間的変動で少ない細部を含む）となる傾向があるので、エンコーダ１００６は、たとえば空領域に属するマクロブロックをスキップマクロブロックとしてエンコードすることによって、使用されるビットの数を削減する。
【００３６】
たとえば、エンコーディング前にノイズ除去前処理フィルタを使用するとき、ｘ２６４エンコーダのレート歪み（ＲＤ）性能が解析される。これが、事前フィルタリングなしの場合に比較される。３４１のフレームを含むビデオのセグメントが、テストビデオとして使用される。このセグメントは、たとえば高プロファイルｘ２６４エンコーダを使用して、４つの異なる量子化パラメータ（たとえば、［３０，３４，３８，４２］に等しい）でエンコードされる。図１１は、得られるＲＤプロットの一例を示す図である。図１１のＲＤプロットは、ノイズ除去フィルタを使用すると、エンコーダのＰＳＮＲは、（たとえば、より高いビットレートで）最大０．７ｄＢ改善されることを例示する。
【００３７】
図１２は、ブロックベースのビデオエンコーダ、たとえばハイブリッドビデオエンコーディングシステムの一例を示すブロック図である。ビデオエンコーダ１２００は、入力ビデオ信号１２０２を受信する。入力ビデオ信号１２０２は、ブロックごとに処理される。ビデオブロックは、任意のサイズのものであってよい。たとえば、ビデオブロックユニットは、１６×１６画素を含む。１６×１６画素のビデオブロックユニットは、マクロブロック（ＭＢ）と呼ばれる。高効率ビデオ符号化（ＨＥＶＣ）では、高解像度（たとえば、１０８０ｐ以上）ビデオ信号を効率的に圧縮するために、拡張されたブロックサイズ（たとえば、符号化ユニットまたはＣＵと呼ばれる）が使用される。ＨＥＶＣでは、ＣＵは、最大６４×６４画素である。ＣＵは、予測ユニット（ＰＵ）に区分され、ＰＵについて別々の予測方法が適用される。
【００３８】
入力ビデオブロック（たとえば、ＭＢまたはＣＵ）について、空間予測１２６０および／または時間予測１２６２が実施される。空間予測（たとえば、「イントラ予測」）は、同じピクチャ／スライス内のすでに符号化された隣接するブロックから画素を使用し、現在のビデオブロックを予測する。空間予測は、ビデオ信号に固有の空間冗長性を低減する。時間予測（たとえば、「インター予測」または「動き補償予測」）は、すでに符号化されたビデオピクチャ（たとえば、「参照ピクチャ」と呼ばれる）から画素を使用し、現在のビデオブロックを予測する。時間予測は、ビデオ信号に固有の時間冗長性を低減する。ビデオブロックについての時間予測信号は、１または複数の動きベクトルによってシグナリングされ、動きベクトルは、参照ピクチャ内で現在のブロックとその予測ブロックとの間での動きの量および／または方向を示す。複数の参照ピクチャがサポートされる場合（たとえば、Ｈ．２６４／ＡＶＣおよび／またはＨＥＶＣの場合）には、ビデオブロックについて、その参照ピクチャインデックスが送られる。参照インデックスは、参照ピクチャストア１２６４（たとえば、復号済みピクチャバッファまたはＤＰＢと呼ばれる）内のどの参照ピクチャから時間予測信号が来るか識別するために使用される。
【００３９】
エンコーダ内のモード判断ブロック１２８０は、たとえば空間および／または時間予測後、予測モードを選択する。予測ブロックは、１２１６で現在のビデオブロックから減算される。予測残差は、変換（１２０４）および／または量子化（１２０６）される。量子化された残差係数は、逆量子化（１２１０）および／または逆変換（１２１２）され、再構築された残差を形成し、再構築された残差は、予測ブロックに戻って加算され（１２２６）、再構築されたビデオブロックを形成する。
【００４０】
参照ピクチャストア１２６４内に置かれる前、および／または将来のビデオブロックを符号化するために使用される前に、ループ内フィルタリング（たとえば、デブロッキングフィルタ、サンプル適応オフセット、適応ループフィルタ、および／または同様のもの）が再構築されたビデオブロックに適用される（１２６６）。ビデオエンコーダ１２００は、出力ビデオストリーム１２２０を出力する。出力ビデオストリーム１２２０を形成するために、符号化モード（たとえば、インター予測モードまたはイントラ予測モード）、予測モード情報、動き情報、および／または量子化された残差係数が、圧縮および／またはパックされビットストリームを形成するように、エントロピー符号化ユニット１２０８に送られる。
【００４１】
図１３は、ブロックベースのビデオデコーダの一例を示すブロック図である。ビデオデコーダ１３００は、ビデオビットストリーム１３０２を受信する。ビデオビットストリーム１３０２は、エントロピー符号化ユニット１３０８で開けられ、および／またはエントロピー復号される。ビデオビットストリームをエンコードするために使用された符号化モードおよび／または予測情報が、空間予測ユニット１３６０（たとえば、イントラ符号化の場合）および／または時間予測ユニット１３６２（たとえば、インター符号化の場合）に送られ、予測ブロックを形成する。インター符号化の場合、予測情報は、予測ブロックサイズ、１もしくは複数の動きベクトル（たとえば、動きの方向および量を示す）、および／または１もしくは複数の参照インデックス（たとえば、どの参照ピクチャから予測信号が得られることになるかを示す）を含む。
【００４２】
動き補償予測が時間予測ユニット１３６２によって適用され、時間予測ブロックを形成する。残差変換係数が逆量子化ユニット１３１０および逆変換ユニット１３１２に送られ、残差ブロックを再構築する。予測ブロックおよび残差ブロックは、１３２６で共に加算される。再構築されたブロックは、ループ内フィルタリングを通ってから、参照ピクチャストア１３６４内に記憶される。参照ピクチャストア１３６４内の再構築されたビデオは、ディスプレイデバイスを駆動するために使用され、および／または将来のビデオブロックを予測するために使用される。ビデオデコーダ１３００は、デバイス１３２４によって受信されることになる再構築されたビデオ信号１３２０を出力する。
【００４３】
単一レイヤビデオエンコーダが、単一のビデオシーケンス入力をとり、単一レイヤデコーダに送信される単一の圧縮されたビットストリームを生成する。デジタルビデオサービス（たとえば、それだけには限らないが衛星、ケーブル、および地上波送信チャネルなど）のために、ビデオコーデックが設計される。異種環境で展開されるビデオ中心の応用例の場合、マルチレイヤビデオ符号化技術が、ビデオ符号化標準の拡張として開発され、様々な応用例を可能にする。たとえば、複数のビデオレイヤを処理するように、スケーラブルビデオ符号化技術が設計され、各レイヤは、特定の空間分解能、時間分解能、忠実度、および／またはビューのビデオ信号を再構築するように復号される。単一レイヤエンコーダおよびデコーダについて図１２および図１３を参照して記載されているが、本明細書に記載の概念は、たとえばマルチレイヤまたはスケーラブル符号化技術のためのマルチレイヤエンコーダおよびデコーダを使用してもよい。
【００４４】
図１４Ａは、１または複数の開示されている実施形態が実装される例示的な通信システム１６００の図である。通信システム１６００は、音声、データ、ビデオ、メッセージング、ブロードキャストなど、コンテンツを複数の無線ユーザに提供する多元接続システムである。通信システム１６００は、複数の無線ユーザが、無線帯域幅を含むシステムリソースの共用を通じてそのようなコンテンツにアクセスすることを可能にする。たとえば、通信システム１６００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１または複数のチャネルアクセス方法を使用する。
【００４５】
図１４Ａに示されているように、通信システム１６００は、無線送信／受信ユニット（ＷＴＲＵ）１６０２ａ、１６０２ｂ、１６０２ｃ、１６０２ｄ、無線アクセスネットワーク（ＲＡＮ）１６０３／１６０４／１６０５、コアネットワーク１６０６／１６０７／１６０９、公衆交換電話網（ＰＳＴＮ）１６０８、インターネット１６１０、および他のネットワーク１６１２を含むが、開示されている実施形態は任意の数のＷＴＲＵ、基地局、ネットワーク、および／またはネットワーク要素を企図していることが理解される。ＷＴＲＵ１６０２ａ、１６０２ｂ、１６０２ｃ、１６０２ｄのそれぞれは、無線環境で動作および／または通信するように構成された任意のタイプのデバイスである。たとえば、ＷＴＲＵ１６０２ａ、１６０２ｂ、１６０２ｃ、１６０２ｄは、無線信号を送信および／または受信するように構成され、ユーザ機器（ＵＥ）、移動局、固定型もしくは移動型加入者ユニット、ページャ、セルラ電話、携帯情報端末（ＰＤＡ）、スマートフォン、ラップトップ、ネットブック、パーソナルコンピュータ、無線センサ、家電、または圧縮されたビデオ通信を受信および処理することが可能な任意の他の端末を含む。
【００４６】
また、通信システム１６００は、基地局１６１４ａおよび基地局１６１４ｂを含む。基地局１６１４ａ、１６１４ｂのそれぞれは、ＷＴＲＵ１６０２ａ、１６０２ｂ、１６０２ｃ、１６０２ｄの少なくとも１つと無線でインターフェースし、コアネットワーク１６０６／１６０７／１６０９、インターネット１６１０、および／またはネットワーク１６１２など、１または複数の通信ネットワークへのアクセスを容易にするように構成された任意のタイプのデバイスである。たとえば、基地局１６１４ａ、１６１４ｂは、ベーストランシーバ基地局（ＢＴＳ）、ノードＢ、高度化ノードＢ、ホームノードＢ、ホーム高度化ノードＢ、サイトコントローラ、アクセスポイント（ＡＰ）、無線ルータなどである。基地局１６１４ａ、１６１４ｂは、それぞれが単一の要素として示されているが、基地局１６１４ａ、１６１４ｂは、任意の数の相互接続された基地局および／またはネットワーク要素を含むことが理解される。
【００４７】
基地局１６１４ａは、ＲＡＮ１６０３／１６０４／１６０５の一部であり、ＲＡＮ１６０３／１６０４／１６０５もまた、基地局コントローラ（ＢＳＣ）、無線ネットワークコントローラ（ＲＮＣ）、中継ノードなど、他の基地局および／またはネットワーク要素（図示せず）を含む。基地局１６１４ａおよび／または基地局１６１４ｂは、セル（図示せず）と呼ばれる特定の地理的領域内で無線信号を送信および／または受信するように構成される。さらに、セルは、セルセクタに分割される。たとえば、基地局１６１４ａに関連付けられたセルは、３つのセクタに分割される。したがって、一実施形態では、基地局１６１４ａは、３つ、すなわちセルの各セクタごとに１つ、トランシーバを含む。他の実施形態では、基地局１６１４ａは、マルチ入力−マルチ出力（ＭＩＭＯ）技術を使用し、したがって、セルの各セクタについて複数のトランシーバを使用する。
【００４８】
基地局１６１４ａ、１６１４ｂは、任意の好適な無線通信リンク（たとえば、無線周波数（ＲＦ）、マイクロ波、赤外（ＩＲ）、紫外（ＵＶ）、可視光など）であるエアインターフェース１６１５／１６１６／１６１７上でＷＴＲＵ１６０２ａ、１６０２ｂ、１６０２ｃ、１６０２ｄの１または複数と通信する。エアインターフェース１６１５／１６１６／１６１７は、任意の好適な無線アクセス技術（ＲＡＴ）を使用して確立される。
【００４９】
より具体的には、上記で指摘したように、通信システム１６００は、多元接続システムであり、ＣＤＭＡ、ＴＤＭＡ、ＦＤＭＡ、ＯＦＤＭＡ、ＳＣ−ＦＤＭＡなど、１または複数のチャネルアクセス方式を使用する。たとえば、ＲＡＮ１６０３／１６０４／１６０５内の基地局１６１４ａおよびＷＴＲＵ１６０２ａ、１６０２ｂ、１６０２ｃ、１６０２ｄは、広帯域ＣＤＭＡ（ＷＣＤＭＡ（登録商標））を使用してエアインターフェース１６１５／１６１６／１６１７を確立するユニバーサル移動体通信システム（ＵＭＴＳ）地上波無線アクセス（ＵＴＲＡ）など無線技術を実装する。ＷＣＤＭＡは、高速パケットアクセス（ＨＳＰＡ）および／または発展型ＨＳＰＡ（ＨＳＰＡ＋）など、通信プロトコルを含む。ＨＳＰＡは、高速ダウンリンクパケットアクセス（ＨＳＤＰＡ）および／または高速アップリンクパケットアクセス（ＨＳＵＰＡ）を含む。
【００５０】
他の実施形態では、基地局１６１４ａ、およびＷＴＲＵ１６０２ａ、１６０２ｂ、１６０２ｃは、ロングタームエボリューション（ＬＴＥ）および／または拡張ＬＴＥ（ＬＴＥ−Ａ）を使用してエアインターフェース１６１５／１６１６／１６１７を確立する拡張ＵＭＴＳ地上波無線アクセス（Ｅ−ＵＴＲＡ）など無線技術を実装する。
【００５１】
他の実施形態では、基地局１６１４ａ、およびＷＴＲＵ１６０２ａ、１６０２ｂ、１６０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、グローバル移動体通信システム（ＧＳＭ（登録商標））、ＧＳＭエボリューション用の拡張データ転送速度（ＥＤＧＥ）、ＧＳＭ  ＥＤＧＥ（ＧＥＲＡＮ）など、無線技術を実装する。
【００５２】
図１４Ａにおける基地局１６１４ｂは、たとえば、無線ルータ、ホームノードＢ、ホーム高度化ノードＢ、またはアクセスポイントであり、事業所、自宅、乗物、キャンパスなど、局所的なエリアでの無線コネクティビティを容易にするための任意の好適なＲＡＴを使用する。一実施形態では、基地局１６１４ｂ、およびＷＴＲＵ１６０２ｃ、１６０２ｄは、無線ローカルエリアネットワーク（ＷＬＡＮ）を確立するために、ＩＥＥＥ８０２．１１など無線技術を実装する。他の実施形態では、基地局１６１４ｂ、およびＷＴＲＵ１６０２ｃ、１６０２ｄは、無線パーソナルエリアネットワーク（ＷＰＡＮ）を確立するために、ＩＥＥＥ８０２．１５など無線技術を実装する。他の実施形態では、基地局１６１４ｂ、およびＷＴＲＵ１６０２ｃ、１６０２ｄは、ピコセルまたはフェムトセルを確立するために、セルラベースのＲＡＴ（たとえば、ＷＣＤＭＡ、ＣＤＭＡ２０００、ＧＳＭ、ＬＴＥ、ＬＴＥ−Ａなど）を使用する。図１４Ａに示されているように、基地局１６１４ｂは、インターネット１６１０に対する直接接続を有する。したがって、基地局１６１４ｂは、コアネットワーク１６０６／１６０７／１６０９を介してインターネット１６１０にアクセスすることが必要でない。
【００５３】
ＲＡＮ１６０３／１６０４／１６０５は、コアネットワーク１６０６と通信し、コアネットワーク１６０６は、音声、データ、アプリケーション、および／またはボイスオーバーインターネットプロトコル（ＶｏＩＰ）サービスを、ＷＴＲＵ１６０２ａ、１６０２ｂ、１６０２ｃ、１６０２ｄの１または複数に提供するように構成された任意のタイプのネットワークである。たとえば、コアネットワーク１６０６／１６０７／１６０９は、呼制御、支払い請求サービス、移動体位置をベースとするサービス、プリペイド呼、インターネットコネクティビティ、ビデオ配信などを提供し、および／またはユーザ認証などハイレベルセキュリティ機能を実施する。図１４Ａには示されていないが、ＲＡＮ１６０３／１６０４／１６０５および／またはコアネットワーク１６０６／１６０７／１６０９は、ＲＡＮ１６０３／１６０４／１６０５と同じＲＡＴまたは異なるＲＡＴを使用する他のＲＡＮと直接または間接的に通信することを理解されたい。たとえば、Ｅ−ＵＴＲＡ無線技術を使用しているＲＡＮ１６０３／１６０４／１６０５に接続されることに加えて、コアネットワーク１６０６／１６０７／１６０９はまた、ＧＳＭ無線技術を使用する別のＲＡＮ（図示せず）と通信する。
【００５４】
また、コアネットワーク１６０６／１６０７／１６０９は、ＷＴＲＵ１６０２ａ、１６０２ｂ、１６０２ｃ、１６０２ｄがＰＳＴＮ１６０８、インターネット１６１０、および／または他のネットワーク１６１２にアクセスするためのゲートウェイとして働く。ＰＳＴＮ１６０８は、基本電話サービス（ＰＯＴＳ）を提供する回線交換電話網を含む。インターネット１６１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）など、一般的な通信プロトコルを使用する相互接続されたコンピュータネットワークおよびデバイスのグローバルシステムを含む。ネットワーク１６１２は、他のサービスプロバイダによって所有および／または運営される有線もしくは無線通信ネットワークを含む。たとえば、ネットワーク１６１２は、ＲＡＮ１６０３／１６０４／１６０５と同じＲＡＴまたは異なるＲＡＴを使用する１または複数のＲＡＮに接続された別のコアネットワークを含む。
【００５５】
通信システム１６００におけるＷＴＲＵ１６０２ａ、１６０２ｂ、１６０２ｃ、１６０２ｄの一部または全部がマルチモード機能を含む。すなわち、ＷＴＲＵ１６０２ａ、１６０２ｂ、１６０２ｃ、１６０２ｄは、異なる無線リンクの上で異なる無線ネットワークと通信するために複数のトランシーバを含む。たとえば、図１４Ａに示されているＷＴＲＵ１６０２ｃは、セルラベースの無線技術を使用する基地局１６１４ａ、およびＩＥＥＥ８０２無線技術を使用する基地局１６１４ｂと通信するように構成される。
【００５６】
図１４Ｂは、例示的なＷＴＲＵ１６０２のシステム図である。図１４Ｂに示されているように、ＷＴＲＵ１６０２は、プロセッサ１６１８、トランシーバ１６２０、送信／受信要素１６２２、スピーカ／マイクロフォン１６２４、キーパッド１６２６、ディスプレイ／タッチパッド１６２８、非取外し式メモリ１６３０、取外し式メモリ１６３２、電源１６３４、全世界測位システム（ＧＰＳ）チップセット１６３６、および他の周辺機器１６３８を含む。ＷＴＲＵ１６０２は、一実施形態と一貫したまま前述の要素の任意のサブコンビネーションを含むことが理解される。また、実施形態は、それだけには限らないが、とりわけ、トランシーバ基地局（ＢＴＳ）、ノードＢ、サイトコントローラ、アクセスポイント（ＡＰ）、ホームノードＢ、高度化ホームノードＢ（ｅＮｏｄｅＢ）、ホーム高度化ノードＢ（ＨｅＮＢ）、ホーム高度化ノードＢゲートウェイ、プロキシノードなど、基地局１６１４ａ、１６１４ｂおよび／または基地局１６１４ａ、１６１４ｂが表すノードは、図１４Ｂに示されている、また本明細書に記載の要素の一部または全部を含むことを企図している。
【００５７】
プロセッサ１６１８は、汎用プロセッサ、専用プロセッサ、従来のプロセッサ、デジタル信号プロセッサ（ＤＳＰ）、グラフィックス処理ユニット（ＧＰＵ）、複数のマイクロプロセッサ、ＤＳＰコアに関連付けられた１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などである。プロセッサ１６１８は、信号符号化、データ処理、電力制御、入力／出力処理、および／またはＷＴＲＵ１６０２が無線環境で動作することを可能にする任意の他の機能を実施する。プロセッサ１６１８は、トランシーバ１６２０に結合され、トランシーバ１６２０は、送信／受信要素１６２２に結合される。図１４Ｂは、プロセッサ１６１８とトランシーバ１６２０を別々の構成要素として示しているが、プロセッサ１６１８とトランシーバ１６２０は、電子パッケージまたはチップ内で共に集積されてもよいことを理解されたい。
【００５８】
送信／受信要素１６２２は、エアインターフェース１６１５／１６１６／１６１７上で基地局（たとえば、基地局１６１４ａ）に信号を送信する、または基地局から信号を受信するように構成される。たとえば、一実施形態では、送信／受信要素１６２２は、ＲＦ信号を送信および／または受信するように構成されたアンテナである。他の実施形態では、送信／受信要素１６２２は、たとえばＩＲ信号、ＵＶ信号、または可視光信号を送信および／または受信するように構成されたエミッタ／ディテクタである。他の実施形態では、送信／受信要素１６２２は、ＲＦ信号と光信号を共に送信および受信するように構成される。送信／受信要素１６２２は、任意の組合せの無線信号を送信および／または受信するように構成されることを理解されたい。
【００５９】
さらに、送信／受信要素１６２２は、図１４Ｂに単一の要素として示されているが、ＷＴＲＵ１６０２は、任意の数の送信／受信要素１６２２を含む。より具体的には、ＷＴＲＵ１６０２は、ＭＩＭＯ技術を使用する。したがって、一実施形態では、ＷＴＲＵ１６０２は、エアインターフェース１６１５／１６１６／１６１７上で無線信号を送信および受信するために２つ以上の送信／受信要素１６２２（たとえば、複数のアンテナ）を含む。
【００６０】
トランシーバ１６２０は、送信／受信要素１６２２によって送信しようとする信号を変調するように、また送信／受信要素１６２２によって受信される信号を復調するように構成される。上記で指摘したように、ＷＴＲＵ１６０２は、マルチモード機能を有する。したがって、トランシーバ１６２０は、たとえばＵＴＲＡおよびＩＥＥＥ８０２．１１など複数のＲＡＴを介してＷＴＲＵ１６０２が通信することを可能にするために複数のトランシーバを含む。
【００６１】
ＷＴＲＵ１６０２のプロセッサ１６１８は、スピーカ／マイクロフォン１６２４、キーパッド１６２６、および／またはディスプレイ／タッチパッド１６２８（たとえば、液晶ディスプレイ（ＬＣＤ）ユニット、または有機発光ダイオード（ＯＬＥＤ）ディスプレイユニット）に結合され、それらからユーザ入力データを受け取る。また、プロセッサ１６１８は、ユーザデータをスピーカ／マイクロフォン１６２４、キーパッド１６２６、および／またはディスプレイ／タッチパッド１６２８に出力する。さらに、プロセッサ１６１８は、非取外し式メモリ１６３０および／または取外し式メモリ１６３２など、任意のタイプの好適なメモリからの情報にアクセスし、それらにデータを記憶させる。非取外し式メモリ１６３０は、ランダムアクセスメモリ（ＲＡＭ）、読出し専用メモリ（ＲＯＭ）、ハードディスク、または任意の他のタイプのメモリ記憶デバイスを含む。取外し式メモリ１６３２は、加入者識別モジュール（ＳＩＭ）カード、メモリスティック、セキュアデジタル（ＳＤ）メモリカードなどを含む。他の実施形態では、プロセッサ１６１８は、サーバ上または家庭用コンピュータ（図示せず）上など、ＷＴＲＵ１６０２上に物理的に位置しないメモリからの情報にアクセスし、それらにデータを記憶させる。
【００６２】
プロセッサ１６１８は、電源１６３４から電力を受け取り、ＷＴＲＵ１６０２内の他の構成要素に電力を分配し、かつ／またはその電力を制御するように構成される。電源１６３４は、ＷＴＲＵ１６０２に給電するための任意の好適なデバイスである。たとえば、電源１６３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含む。
【００６３】
また、プロセッサ１６１８は、ＷＴＲＵ１６０２の現在位置に関する位置情報（たとえば、経度および緯度）を提供するように構成されるＧＰＳチップセット１６３６に結合される。ＧＰＳチップセット１６３６からの情報に加えて、またはその代わりに、ＷＴＲＵ１６０２は、エアインターフェース１６１５／１６１６／１６１７上で基地局（たとえば、基地局１６１４ａ、１６１４ｂ）から位置情報を受信し、かつ／または近くの２つ以上の基地局から受信される信号のタイミングに基づいてその位置を決定する。ＷＴＲＵ１６０２は、一実施形態と一貫したまま任意の好適な位置決定方法により位置情報を獲得することを理解されたい。
【００６４】
さらに、プロセッサ１６１８は他の周辺機器１６３８に結合され、それらの周辺機器１６３８は、追加の特徴、機能、および／または有線もしくは無線コネクティビティを提供する１または複数のソフトウェアおよび／またはハードウェアモジュールを含む。たとえば、周辺機器１６３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンドフリー用ヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含む。
【００６５】
図１４Ｃは、一実施形態によるＲＡＮ１６０３およびコアネットワーク１６０６のシステム図である。上記で指摘したように、ＲＡＮ１６０３は、ＵＴＲＡ無線技術を使用し、エアインターフェース１６１５の上でＷＴＲＵ１６０２ａ、１６０２ｂ、１６０２ｃと通信する。また、ＲＡＮ１６０３は、コアネットワーク１６０６と通信する。図１４Ｃに示されているように、ＲＡＮ１６０３は、ノードＢ１６４０ａ、１６４０ｂ、１６４０ｃを含み、ノードＢ１６４０ａ、１６４０ｂ、１６４０ｃは、それぞれが、エアインターフェース１６１５の上でＷＴＲＵ１６０２ａ、１６０２ｂ、１６０２ｃと通信するために１または複数のトランシーバを含む。ノードＢ１６４０ａ、１６４０ｂ、１６４０ｃは、それぞれがＲＡＮ１６０３内の特定のセル（図示せず）に関連付けられる。また、ＲＡＮ１６０３は、ＲＮＣ１６４２ａ、１６４２ｂを含む。ＲＡＮ１６０３は、一実施形態と一貫したまま任意の数のノードＢおよびＲＮＣを含むことを理解されたい。
【００６６】
図１４Ｃに示されているように、ノードＢ１６４０ａ、１６４０ｂは、ＲＮＣ１６４２ａと通信する。さらに、ノードＢ１６４０ｃは、ＲＮＣ１６４２ｂと通信する。ノードＢ１６４０ａ、１６４０ｂ、１６４０ｃは、Ｉｕｂインターフェースを介して、それぞれのＲＮＣ１６４２ａ、１６４２ｂと通信する。ＲＮＣ１６４２ａ、１６４２ｂは、Ｉｕｒインターフェースを介して互いに通信する。ＲＮＣ１６４２ａ、１６４２ｂのそれぞれは、接続されているそれぞれのノードＢ１６４０ａ、１６４０ｂ、１６４０ｃを制御するように構成される。さらに、ＲＮＣ１６４２ａ、１６４２ｂのそれぞれは、外部ループ電力制御、負荷制御、許可制御、パケットスケジューリング、ハンドオーバ制御、マクロダイバーシティ、セキュリティ機能、データ暗号化など、他の機能を実施する、またはサポートするように構成される。
【００６７】
図１４Ｃに示されているコアネットワーク１６０６は、メディアゲートウェイ（ＭＧＷ）１６４４、移動交換センタ（ＭＳＣ）１６４６、サービングＧＰＲＳサポートノード（ＳＧＳＮ）１６４８、および／またはゲートウェイＧＰＲＳサポートノード（ＧＧＳＮ）１６５０を含む。前述の要素のそれぞれはコアネットワーク１６０６の一部として示されているが、これらの要素のいずれか１つがコアネットワークオペレータ以外のエンティティによって所有および／または運営されてもよいことを理解されたい。
【００６８】
ＲＡＮ１６０３内のＲＮＣ１６４２ａは、ＩｕＣＳインターフェースを介してコアネットワーク１６０６内のＭＳＣ１６４６に接続される。ＭＳＣ１６４６は、ＭＧＷ１６４４に接続される。ＭＳＣ１６４６およびＭＧＷ１６４４は、ＷＴＲＵ１６０２ａ、１６０２ｂ、１６０２ｃにＰＳＴＮ１６０８など回線交換ネットワークに対するアクセスを提供し、ＷＴＲＵ１６０２ａ、１６０２ｂ、１６０２ｃと従来の陸線通信デバイスとの間の通信を容易にする。
【００６９】
また、ＲＡＮ１６０３内のＲＮＣ１６４２ａは、ＩｕＰＳインターフェースを介してコアネットワーク１６０６内のＳＧＳＮ１６４８に接続される。ＳＧＳＮ１６４８は、ＧＧＳＮ１６５０に接続される。ＳＧＳＮ１６４８およびＧＧＳＮ１６５０は、ＷＴＲＵ１６０２ａ、１６０２ｂ、１６０２ｃにインターネット１６１０などパケット交換ネットワークに対するアクセスを提供し、ＷＴＲＵ１６０２ａ、１６０２ｂ、１６０２ｃとＩＰ対応デバイスの間の通信を容易にする。
【００７０】
上記で指摘したように、コアネットワーク１６０６はまた、他のサービスプロバイダによって所有および／または運営される他の有線もしくは無線ネットワークを含むネットワーク１６１２に接続される。
【００７１】
図１４Ｄは、一実施形態によるＲＡＮ１６０４およびコアネットワーク１６０７のシステム図である。上記で指摘したように、ＲＡＮ１６０４は、Ｅ−ＵＴＲＡ無線技術を使用し、エアインターフェース１６１６上でＷＴＲＵ１６０２ａ、１６０２ｂ、１６０２ｃと通信する。また、ＲＡＮ１６０４は、コアネットワーク１６０７と通信する。
【００７２】
ＲＡＮ１６０４は高度化ノードＢ１６６０ａ、１６６０ｂ、１６６０ｃを含むが、ＲＡＮ１６０４は、一実施形態と一貫したまま任意の数の高度化ノードＢを含むことが理解される。高度化ノードＢ１６６０ａ、１６６０ｂ、１６６０ｃは、それぞれが、エアインターフェース１６１６を介してＷＴＲＵ１６０２ａ、１６０２ｂ、１６０２ｃと通信するために１つまたは複数のトランシーバを含む。一実施形態では、高度化ノードＢ１６６０ａ、１６６０ｂ、１６６０ｃは、ＭＩＭＯ技術を実装する。したがって、たとえば高度化ノードＢ１６６０ａは、複数のアンテナを使用し、ＷＴＲＵ１６０２ａに無線信号を送信し、ＷＴＲＵ１６０２ａから無線信号を受信する。
【００７３】
高度化ノードＢ１６６０ａ、１６６０ｂ、１６６０ｃのそれぞれは、特定のセル（図示せず）に関連付けられ、無線リソース管理判断、ハンドオーバ判断、アップリンクおよび／またはダウンリンクにおけるユーザのスケジューリングなどを処理するように構成される。図１４Ｄに示されているように、高度化ノードＢ１６６０ａ、１６６０ｂ、１６６０ｃは、Ｘ２インターフェースの上で互いに通信する。
【００７４】
図１４Ｄに示されているコアネットワーク１６０７は、無線通信移動管理装置（ＭＭＥ）１６６２、サービングゲートウェイ１６６４、およびパケットデータネットワーク（ＰＤＮ）ゲートウェイ１６６６を含む。前述の要素のそれぞれはコアネットワーク１６０７の一部として示されているが、これらの要素のいずれか１つがコアネットワークオペレータ以外のエンティティによって所有および／または運営されてもよいことが理解される。
【００７５】
ＭＭＥ１６６２は、Ｓ１インターフェースを介してＲＡＮ１６０４内の高度化ノードＢ１６６０ａ、１６６０ｂ、１６６０ｃのそれぞれに接続され、制御ノードとして働く。たとえば、ＭＭＥ１６６２は、ＷＴＲＵ１６０２ａ、１６０２ｂ、１６０２ｃのユーザを認証すること、ベアラの活動化／非活動化、ＷＴＲＵ１６０２ａ、１６０２ｂ、１６０２ｃの最初のアタッチ中に特定のサービングゲートウェイを選択することなどの責任を担う。また、ＭＭＥ１６６２は、ＲＡＮ１６０４と、ＧＳＭまたはＷＣＤＭＡなど他の無線技術を使用する他のＲＡＮ（図示せず）との間で切り替えるための制御プレーン機能を提供する。
【００７６】
サービングゲートウェイ１６６４は、Ｓ１インターフェースを介してＲＡＮ１６０４内の高度化ノードＢ１６６０ａ、１６６０ｂ、１６６０ｃのそれぞれに接続される。サービングゲートウェイ１６６４は、一般に、ユーザデータパケットをＷＴＲＵ１６０２ａ、１６０２ｂ、１６０２ｃに／ＷＴＲＵ１６０２ａ、１６０２ｂ、１６０２ｃからルーティングおよび転送する。また、サービングゲートウェイ１６６４は、高度化ノードＢ間ハンドオーバ中にユーザプレーンをアンカリングすること、ＷＴＲＵ１６０２ａ、１６０２ｂ、１６０２ｃにダウンリンクデータが使用可能であるときページングをトリガすること、およびＷＴＲＵ１６０２ａ、１６０２ｂ、１６０２ｃのコンテキストを管理および記憶することなど、他の機能を実施する。
【００７７】
また、サービングゲートウェイ１６６４はＰＤＮゲートウェイ１６６６に接続され、ＰＤＮゲートウェイ１６６６は、ＷＴＲＵ１６０２ａ、１６０２ｂ、１６０２ｃにインターネット１６１０などパケット交換ネットワークに対するアクセスを提供し、ＷＴＲＵ１６０２ａ、１６０２ｂ、１６０２ｃとＩＰ対応デバイスの間の通信を容易にする。
【００７８】
コアネットワーク１６０７は、他のネットワークとの通信を容易にする。たとえば、コアネットワーク１６０７は、ＷＴＲＵ１６０２ａ、１６０２ｂ、１６０２ｃにＰＳＴＮ１６０８など回線交換ネットワークに対するアクセスを提供し、ＷＴＲＵ１６０２ａ、１６０２ｂ、１６０２ｃと従来の陸線通信デバイスとの間の通信を容易にする。たとえば、コアネットワーク１６０７は、コアネットワーク１６０７とＰＳＴＮ１６０８の間のインターフェースとして働くＩＰゲートウェイ（たとえば、ＩＰマルチメディアサブシステム（ＩＭＳ）サーバ）を含み、またはＩＰゲートウェイと通信する。さらに、コアネットワーク１６０７は、ＷＴＲＵ１６０２ａ、１６０２ｂ、１６０２ｃに、他のサービスプロバイダによって所有および／または運営される他の有線もしくは無線ネットワークを含むネットワーク１６１２に対するアクセスを提供する。
【００７９】
図１４Ｅは、一実施形態によるＲＡＮ１６０５およびコアネットワーク１６０９のシステム図である。ＲＡＮ１６０５は、エアインターフェース１６１７の上でＷＴＲＵ１６０２ａ、１６０２ｂ、１６０２ｃと通信するためにＩＥＥＥ８０２．１６無線技術を使用するアクセスサービスネットワーク（ＡＳＮ）である。下記でさらに論じるように、ＷＴＲＵ１６０２ａ、１６０２ｂ、１６０２ｃ、ＲＡＮ１６０５、およびコアネットワーク１６０９の異なる機能エンティティ間の通信リンクが、参照ポイントとして定義される。
【００８０】
図１４Ｅに示されているように、ＲＡＮ１６０５は、基地局１６８０ａ、１６８０ｂ、１６８０ｃ、およびＡＳＮゲートウェイ１６８２を含むが、ＲＡＮ１６０５は、一実施形態と一貫したまま任意の数の基地局およびＡＳＮゲートウェイを含むことが理解される。基地局１６８０ａ、１６８０ｂ、１６８０ｃは、それぞれがＲＡＮ１６０５内の特定のセル（図示せず）に関連付けられ、それぞれが、エアインターフェース１６１７上でＷＴＲＵ１６０２ａ、１６０２ｂ、１６０２ｃと通信するために１つまたは複数のトランシーバを含む。一実施形態では、基地局１６８０ａ、１６８０ｂ、１６８０ｃは、ＭＩＭＯ技術を実装する。したがって、たとえば基地局１６８０ａは、複数のアンテナを使用し、ＷＴＲＵ１６０２ａに無線信号を送信し、ＷＴＲＵ１６０２ａから無線信号を受信することができる。また、基地局１６８０ａ、１６８０ｂ、１６８０ｃは、ハンドオフのトリガ、トンネル確立、無線リソース管理、トラフィック分類、サービス品質（ＱｏＳ）ポリシ施行など、移動管理機能を提供する。ＡＳＮゲートウェイ１６８２は、トラフィック集約ポイントとして働き、ページング、加入者プロファイルのキャッシング、コアネットワーク１６０９へのルーティングなどの責任を担う。
【００８１】
ＷＴＲＵ１６０２ａ、１６０２ｂ、１６０２ｃとＲＡＮ１６０５との間のエアインターフェース１６１７は、ＩＥＥＥ８０２．１６仕様を実装するＲ１参照ポイントとして定義される。さらに、ＷＴＲＵ１６０２ａ、１６０２ｂ、１６０２ｃのそれぞれは、コアネットワーク１６０９との論理インターフェース（図示せず）を確立する。ＷＴＲＵ１６０２ａ、１６０２ｂ、１６０２ｃとコアネットワーク１６０９との間の論理インターフェースは、Ｒ２参照ポイントとして定義され、認証、許可、ＩＰホスト構成管理、および／または移動管理のために使用される。
【００８２】
基地局１６８０ａ、１６８０ｂ、１６８０ｃのそれぞれの間の通信リンクは、ＷＴＲＵハンドオーバおよび基地局間のデータの転送を容易にするためのプロトコルを含むＲ８参照ポイントとして定義される。基地局１６８０ａ、１６８０ｂ、１６８０ｃとＡＳＮゲートウェイ１６８２との間の通信リンクは、Ｒ６参照ポイントとして定義される。Ｒ６参照ポイントは、ＷＴＲＵ１６０２ａ、１６０２ｂ、１６０２ｃのそれぞれに関連する移動イベントに基づいて移動管理を容易にするためのプロトコルを含む。
【００８３】
図１４Ｅに示されているように、ＲＡＮ１６０５は、コアネットワーク１６０９に接続される。ＲＡＮ１６０５とコアネットワーク１６０９との間の通信リンクは、たとえばデータ転送および移動管理機能を容易にするためのプロトコルを含むＲ３参照ポイントとして定義される。コアネットワーク１６０９は、移動ＩＰホームエージェント（ＭＩＰ−ＨＡ）１６８４と、認証、許可、アカウンティング（ＡＡＡ）サーバ１６８６と、ゲートウェイ１６８８とを含む。前述の要素のそれぞれはコアネットワーク１６０９の一部として示されているが、これらの要素のいずれか１つがコアネットワークオペレータ以外のエンティティによって所有および／または運営されてもよいことが理解される。
【００８４】
ＭＩＰ−ＨＡ１６８４は、ＩＰアドレス管理の責任を担い、ＷＴＲＵ１６０２ａ、１６０２ｂ、１６０２ｃが、異なるＡＳＮおよび／または異なるコアネットワーク間でローミングすることを可能にする。ＭＩＰ−ＨＡ１６８４は、ＷＴＲＵ１６０２ａ、１６０２ｂ、１６０２ｃにインターネット１６１０などパケット交換ネットワークに対するアクセスを提供し、ＷＴＲＵ１６０２ａ、１６０２ｂ、１６０２ｃとＩＰ対応デバイスの間の通信を容易にする。ＡＡＡサーバ１６８６は、ユーザ認証、およびユーザサービスをサポートすることの責任を担う。ゲートウェイ１６８８は、他のネットワークとの網間接続を容易にする。たとえば、ゲートウェイ１６８８は、ＷＴＲＵ１６０２ａ、１６０２ｂ、１６０２ｃにＰＳＴＮ１６０８など回線交換ネットワークに対するアクセスを提供し、ＷＴＲＵ１６０２ａ、１６０２ｂ、１６０２ｃと従来の陸線通信デバイスとの間の通信を容易にする。さらに、ゲートウェイ１６８８は、他のサービスプロバイダによって所有および／または運営される他の有線もしくは無線ネットワークを含むネットワーク１６１２に対するアクセスを、ＷＴＲＵ１６０２ａ、１６０２ｂ、１６０２ｃに提供する。
【００８５】
図１４Ｅには示されていないが、ＲＡＮ１６０５は他のＡＳＮに接続され、コアネットワーク１６０９は他のコアネットワークに接続されることを理解されたい。ＲＡＮ１６０５と他のＡＳＮとの間の通信リンクは、ＲＡＮ１６０５と他のＡＳＮとの間でのＷＴＲＵ１６０２ａ、１６０２ｂ、１６０２ｃの移動を調整するためのプロトコルを含むＲ４参照ポイントとして定義される。コアネットワーク１６０９と他のコアネットワークとの間の通信リンクは、ホームコアネットワークと在圏コアネットワークとの間の網間接続を容易にするためのプロトコルを含むＲ５参照ポイントとして定義される。
【００８６】
上記のプロセスは、コンピュータおよび／またはプロセッサによって実行するためのコンピュータ可読媒体内に組み込まれるコンピュータプログラム、ソフトウェア、および／またはファームウェアで実施される。コンピュータ可読媒体の例は、電子信号（有線および／または無線接続の上で送信される）、および／またはコンピュータ可読記憶媒体を含む。コンピュータ可読記憶媒体の例は、それだけには限らないが、読取り専用メモリ（ＲＯＭ）、ランダムアクセスメモリ（ＲＡＭ）、レジスタ、キャッシュメモリ、半導体メモリデバイス、それだけには限らないが内部ハードディスクや取外し式ディスクなど磁気媒体、光磁気媒体、ならびに／またはＣＤ−ＲＯＭディスクおよび／もしくはデジタル多目的ディスク（ＤＶＤ）など光媒体を含む。ソフトウェアと関連付けられたプロセッサを使用し、ＷＴＲＵ、ＵＥ、端末、基地局、ＲＮＣ、および／または任意のホストコンピュータで使用するための無線周波数トランシーバを実装してもよい。
【図１】
2016503613.tif 000006
【図２Ａ】
2016503613.tif 000007
【図２Ｂ】
2016503613.tif 000008
【図３】
2016503613.tif 000009
【図４】
2016503613.tif 000010
【図５】
2016503613.tif 000011
【図６】
2016503613.tif 000012
【図７】
2016503613.tif 000013
【図８】
2016503613.tif 000014
【図９】
2016503613.tif 000015
【図１０】
2016503613.tif 000016
【図１１】
2016503613.tif 000017
【図１２】
2016503613.tif 000018
【図１３】
2016503613.tif 000019
【図１４Ａ】
2016503613.tif 000020
【図１４Ｂ】
2016503613.tif 000021
【図１４Ｃ】
2016503613.tif 000022
【図１４Ｄ】
2016503613.tif 000023
【図１４Ｅ】
2016503613.tif 000024
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
ビデオストリームの第１のフレーム、および前記ビデオストリームの第２のフレームを受信するステップと、
前記第１のフレームに関連付けられた画素のクロマ成分がクロミナンス色空間の事前定義の領域内にあるかどうか決定するステップと、
前記第２のフレーム内の同一位置の画素のクロマ成分がクロミナンス色空間の前記事前定義の領域内にあるかどうか決定するステップと、
前記画素の前記クロマ成分がクロミナンス色空間の前記事前定義の領域内にあり、前記同一位置の画素の前記クロマ成分がクロミナンス色空間の前記事前定義の領域内にある場合、時間ノイズ除去フィルタを前記画素に適用するステップと
を備えたことを特徴とする方法。
【請求項２】
前記同一位置の画素とクロミナンス色空間の前記事前定義の領域内にない前記第２のフレーム内の最も近くの画素との間の距離（ｒ）を決定するステップをさらに備えたことを特徴とする請求項１に記載の方法。
【請求項３】
前記時間ノイズ除去フィルタは、前記距離（ｒ）の関数として前記画素に適用されることを特徴とする請求項２に記載の方法。
【請求項４】
前記時間ノイズ除去フィルタは、前記距離（ｒ）が減少するにつれて、より穏やかに前記画素に適用されることを特徴とする請求項２に記載の方法。
【請求項５】
前記時間ノイズ除去フィルタを適用した後で前記ビデオストリームをエンコードするステップをさらに備えたことを特徴とする請求項１に記載の方法。
【請求項６】
前記第２のフレームは、前記第１のフレームの前に受信されることを特徴とする請求項１に記載の方法。
【請求項７】
クロミナンス色空間の前記事前定義の領域は、ＣｂＣｒ空間であることを特徴とする請求項１に記載の方法。
【請求項８】
クロミナンス色空間の前記事前定義の領域は、Ｃｂの最小値を制限することによって定義されることを特徴とする請求項７に記載の方法。
【請求項９】
クロミナンス色空間の前記事前定義の領域は、Ｃｂの値を第１の範囲に制限し、Ｃｒの値を第２の範囲に制限することによって定義される色に関連付けられることを特徴とする請求項１に記載の方法。
【請求項１０】
ビデオストリームの第１のフレーム、および前記ビデオストリームの第２のフレームを受信し、
前記第１のフレームに関連付けられた画素のクロマ成分がクロミナンス色空間の事前定義の領域内にあるかどうか決定し、
前記第２のフレーム内の同一位置の画素のクロマ成分がクロミナンス色空間の前記事前定義の領域内にあるかどうか決定し、
前記画素の前記クロマ成分がクロミナンス色空間の前記事前定義の領域内にあり、前記同一位置の画素の前記クロマ成分がクロミナンス色空間の前記事前定義の領域内にある場合、時間ノイズ除去フィルタを前記画素に適用するように構成されたプロセッサを備えたことを特徴とするビデオデバイス。
【請求項１１】
前記プロセッサは、前記同一位置の画素とクロミナンス色空間の前記事前定義の領域内にない前記第２のフレーム内の最も近くの画素との間の距離（ｒ）を決定するようにさらに構成されたことを特徴とする請求項１０に記載のビデオデバイス。
【請求項１２】
前記時間ノイズ除去フィルタは、前記距離（ｒ）の関数として前記画素に適用されることを特徴とする請求項１１に記載のビデオデバイス。
【請求項１３】
前記時間ノイズ除去フィルタは、前記距離（ｒ）が減少するにつれて、より穏やかに前記画素に適用されたことを特徴とする請求項１１に記載のビデオデバイス。
【請求項１４】
前記プロセッサは、前記時間ノイズ除去フィルタを適用した後で前記ビデオストリームをエンコードするようにさらに構成されたことを特徴とする請求項１０に記載のビデオデバイス。
【請求項１５】
前記第２のフレームは、前記第１のフレームの前に受信されることを特徴とする請求項１０に記載のビデオデバイス。
【請求項１６】
クロミナンス色空間の前記事前定義の領域は、ＣｂＣｒ空間であることを特徴とする請求項１０に記載のビデオデバイス。
【請求項１７】
クロミナンス色空間の前記事前定義の領域は、Ｃｂの最小値を制限することによって定義されることを特徴とする請求項１６に記載のビデオデバイス。
【請求項１８】
クロミナンス色空間の前記事前定義の領域は、Ｃｂの値を第１の範囲に制限し、Ｃｒの値を第２の範囲に制限することによって定義される色に関連付けられることを特徴とする請求項１０に記載のビデオデバイス。
【国際調査報告】
2016503613.tif 000025
2016503613.tif 000026
2016503613.tif 000027